(57)【要約】【課題】電池ケースに収納した乾電池５のマイナス電極５２に接続されるように電池ケースに取付けられる端子板２９であって、乾電池のマイナス電極に対する接点部となる小突起２９ａを備えるものにおいて、マイナス電極の中心に凹部５２ｂを有する乾電池を使用したときに、小突起が凹部に入り込んで端子板がマイナス電極に面接触し、両者の接触面積の増加で水等による腐食の機会が増すことを防止する。【解決手段】乾電池５のマイナス電極５２の中心に対向する端子板２９の中心点から所定距離離れた部分に小突起２９ａを設け、この小突起２９ａが凹部４２ｂの周囲のマイナス電極５２の部分に点接触するように構成する。【選択図】図４
2005216824.tif 000002
【特許請求の範囲】
【請求項１】
電池ケースに収納した乾電池のマイナス電極に接続されるように電池ケースに取付けられる端子板であって、乾電池のマイナス電極に対する接点部となる小突起を備えるものにおいて、
乾電池のマイナス電極の中心に対向する端子板の中心点から所定距離離れた部分に前記小突起を備えることを特徴とする電池ケース用端子板。
【請求項２】
前記中心点を中心とする前記所定距離の半径の円周上に、前記小突起を略等間隔で複数備えることを特徴とする請求項１記載の電池ケース用端子板。
【発明の詳細な説明】
【技術分野】
【０００１】
本発明は、電池ケースに収納した乾電池のマイナス電極に接続されるように電池ケースに取付けられる電池ケース用端子板に関する。
【背景技術】
【０００２】
電池ケースでは、乾電池のマイナス電極に接続される端子として、一般的に、コイル状のばね端子を用いているが、平板状の端子板を用いることもある。この端子板には、乾電池のマイナス電極の中心に対向する部分に位置させて小突起が形成されており、この小突起が乾電池のマイナス電極に接触するようにしている(例えば、特許文献１参照)。尚、このように小突起でマイナス電極に接触させるのは、端子板とマイナス電極との接触面積を少なくして、接点圧を高めると共に、端子板とマイナス電極との間に付着滞留する水等による腐食の機会を減らすためである。
【０００３】
ところで、最近は、図８に示す如く、プラス電極５１の凸状の端面の中心に小さな環状突起５１ａを形成すると共に、マイナス電極５２の環状溝５２ａで囲われた中央領域の中心に、プラス電極５１の環状突起５１ａに対応する凹部５２ｂを形成した乾電池が市販されている。乾電池を直列に２個以上並べる場合、このような乾電池を用いると、マイナス電極の凹部に隣接する乾電池のプラス電極の環状突起が嵌り、乾電池列が中折れ状態になることが防止される。
【０００４】
然し、上記した小突起を有する端子板に対してこのような乾電池を用いると、乾電池のマイナス電極の凹部に端子板の小突起が入り込んでしまい、小突起の周囲の端子板の部分が乾電池のマイナス電極に面接触して、端子板とマイナス電極との接触面積が増加し、水等による腐食の機会が増えてしまう。
【特許文献１】実公平８−６３６２号公報(第２図、第３図)
【発明の開示】
【発明が解決しようとする課題】
【０００５】
本発明は、以上の点に鑑み、マイナス電極に凹部を形成した乾電池を用いても、マイナス電極との接触面積を少なくできるようにした電池ケース用の端子板を提供することをその課題としている。
【課題を解決するための手段】
【０００６】
上記課題を解決するために、本発明は、電池ケースに収納した乾電池のマイナス電極に接続されるように電池ケースに取付けられる端子板であって、乾電池のマイナス電極に対する接点部となる小突起を備えるものにおいて、乾電池のマイナス電極の中心に対向する端子板の中心点から所定距離離れた部分に前記小突起を備えることを特徴とする。
【０００７】
本発明によれば、マイナス電極の中心に凹部を形成した乾電池を用いても、上記所定距離をマイナス電極の凹部の半径より大きく設定しておくことにより、凹部の周囲のマイナス電極の部分に小突起が点接触する。そのため、端子板とマイナス電極との接触面積が少なくなり、接点圧が高められると共に、水等による腐食の機会を減らすことができる。
【０００８】
また、端子板の上記中心点を中心とする上記所定距離の半径の円周上に、小突起を略等間隔で複数設けておけば、小突起に対するマイナス電極の片当たりが防止され、端子板とマイナス電極との電気接続の確実性が担保される。
【発明を実施するための最良の形態】
【０００９】
図１を参照して、１は、図示省略したバーナを熱源とする熱交換器を内蔵する湯沸器本体であり、湯沸器本体１の下部には、電池ケース２が設けられている。尚、湯沸器本体１の前面下部には、通水・止水のための押しボタン３が設けられている。図中４は、湯沸器本体１の下端の出湯口に可撓管４ａを介して接続した出湯ヘッドである。
【００１０】
電池ケース２は、図２に示す如く、下向きに開口するケース本体２１と、ケース本体２１の下端開口部を覆うケース蓋２２とで構成されている。ケース本体２１は、各１個の乾電池５を収納する横並びの一対の収納部２３，２３を備えている。各収納部２３の上底部には、各収納部２３に収納した乾電池５の上方の電極に接続される板ばねから成る端子板２４が装着されている。
【００１１】
ケース蓋２２は、ケース本体２１の下端にヒンジ部２５を介して開閉自在に取付けられている。ケース蓋２２の中央部には回動自在なノブ２６が設けられており、ノブ２６の軸部２６ａをケース本体２１の下端中央部に形成したロック孔２７に挿入し、軸部２６ａの上端の径方向に突出するフック部２６ｂをノブ２６の回動操作でロック孔２７内の段差部２７ａに係合させることにより、ケース蓋２２が閉状態にロックされるようにしている。
【００１２】
また、ケース蓋２２の内面には、ケース本体２１の一対の収納部２３，２３に収納した２個の乾電池５，５同士を接続する接続金具２８が取付けられている。接続金具２８には、その中央部の両脇に位置させて、夫々一対の切起し爪２８ａが形成されている。そして、ケース蓋２２の内面に、その中央部の両脇に位置させて、夫々ボス部２２ａを突設し、このボス部２２ａに切起し爪２８ａを食い込ませることで、接続金具２８をケース蓋２２の内面に固定している。また、接続金具２８には、一対の収納部２３，２３に対向する部分に位置させて、上方に矩形波状に折曲げられた折曲げ部が形成されており、この折曲げ部で各収納部２３に収納した乾電池５の下方の電極に接続される端子板２９が構成される。ここで、一方の収納部２３には、乾電池５がプラス電極５１を上にした状態で収納され、他方の収納部２３には、乾電池５がマイナス電極５２を上にした状態で収納される。そのため、両収納部２３，２３に収納した２個の乾電池５，５は、接続金具２８を介して直列に接続される。
【００１３】
各端子板２９には、図３に示す如く、乾電池５の電極に対する接点部となる、上方に突出し成形された小突起２９ａが設けられている。小突起２９ａは、図３に示すように、乾電池５の電極の中心に対向する端子板２９の中心点と、中心点から所定距離離れた、中心点に関して点対称となる２箇所、即ち、中心点を中心とする所定距離の半径の円周(以下、突起配置円と記す)上の１８０°離れた２箇所とに計３個設けられている。ここで、乾電池５には、図８に示す如く、マイナス電極５２の環状溝５２ａで囲われた中央領域の中心に、プラス電極５１の端面中心に形成した環状突起５１ａに対応する凹部５２ｂを形成したものがある。このような乾電池５を考慮して、上記所定距離は、凹部５２ｂの半径より大きく設定されている。また、小突起２９ａがマイナス電極５２の環状溝５２ａに入り込むことを避けるため、上記所定距離は環状溝５２ａの内周の半径より小さく設定されている。
【００１４】
これによれば、プラス電極５１を上にした状態で乾電池５を収納する収納部２３に対応する端子板２９は、図４に示すように、中心点から離れた小突起２９ａで乾電池５のマイナス電極５２の凹部５２ｂの周辺部分に点接触することになる。ここで、小突起２９ａを端子板２９の中心点のみに設けた場合には、小突起２９ａがマイナス電極５２の凹部５２ｂに入り込み、小突起２９ａの周囲の端子板２９の部分がマイナス電極５２に面接触して、端子板２９とマイナス電極５２との接触面積が増加し、接点圧が低くなると共に、水等による腐食の機会が増えてしまう。これに対し、本実施形態では、上記の如く中心点から離れた小突起２９ａがマイナス電極５２に点接触するため、端子板２９とマイナス電極５２との接触面積が少なくなり、接点圧が高められると共に、水等による腐食の機会を減らすことができる。
【００１５】
また、本実施形態では、端子板２９の中心点から離れた小突起２９ａが突起配置円上に１８０°間隔で２個設けられているため、マイナス電極５２その中心の両側でこれら２個の小突起２９ａにバランス良くに当接する。従って、小突起２９ａに対するマイナス電極５２の片当たりが防止され、端子板２９とマイナス電極５２との電気接続の確実性も担保される。
【００１６】
尚、プラス電極５１を上にした状態で乾電池５を収納する収納部２３に対応する端子板２９、即ち、乾電池５のマイナス電極５２に接続される端子板２９では、その中心点の小突起２９ａは省略しても良い。然し、マイナス電極５２に凹部５２ｂが形成されていない乾電池５を使用したときには、中心点の小突起２９ａもマイナス電極５２に接触して、電気接続の確実性が増すため、本実施形態では、中心点にも小突起２９ａを設けている。
【００１７】
また、マイナス電極５２を上にして乾電池５を収納する収納部２３に対応する端子板２９、即ち、乾電池５のプラス電極５１に接続される端子板２９では、突起配置円上の小突起２９ａは不要である。然し、ケース蓋２２に対する接続金具２８の取付け向きの管理を不要にするには、接続金具２８に設ける一対の端子板２９，２９を合同形状とする必要がある。そのため、本実施形態では、両端子板２９，２９に、夫々、中心点と突起配置円上とに位置させて小突起２９ａを設けている。
【００１８】
また、上記第１実施形態では、端子板２９の突起配置円上の２個の小突起２９ａを、接続金具２８の長手方向に直交する線上に位置するように形成しているが、図５に示す第２実施形態のように、端子板２９の突起配置円上の２個の小突起２９ａを、接続金具２８の長手方向に沿う線上に位置するように形成しても良い。また、端子板２９の突起配置円上に形成する小突起２９ａの数は２個に限定されるものではなく、例えば、図６に示す第３実施形態のように、１２０°間隔で３個の小突起２９ａを形成し、更には、図７に示す第４実施形態のように、９０°間隔で４個の小突起２９ａを形成しても良い。
【００１９】
以上、湯沸器に設ける電池ケース２用の端子板２９に本発明を適用した実施形態について説明したが、湯沸器以外の機器に設ける電池ケース用の端子板にも同様に本発明を適用できる。
【図面の簡単な説明】
【００２０】
【図１】本発明端子板を取付けた電池ケースを具備する湯沸器の正面図。
【図２】図１の湯沸器の電池ケースの半部切断正面図。
【図３】図２の電池ケースに取付けた本発明の第１実施形態の端子板を有する接続金具の平面図。
【図４】図３のＩＶ−ＩＶ線切断面図。
【図５】本発明の第２実施形態の端子板を有する接続金具の平面図。
【図６】本発明の第３実施形態の端子板を有する接続金具の平面図。
【図７】本発明の第４実施形態の端子板を有する接続金具の平面図。
【図８】(ａ)乾電池のプラス電極側の斜視図、(ｂ)乾電池のマイナス電極側の斜視図。
【符号の説明】
【００２１】
２…電池ケース、２９…端子板、２９ａ…小突起、５…乾電池、５２…マイナス電極、５２ｂ…マイナス電極の凹部。
【図１】
2005216824.tif 000003
【図２】
2005216824.tif 000004
【図３】
2005216824.tif 000005
【図４】
2005216824.tif 000006
【図５】
2005216824.tif 000007
【図６】
2005216824.tif 000008
【図７】
2005216824.tif 000009
【図８】
2005216824.tif 000010